(57)【要約】【課題】  ライフサイクルコストを低減する酸素富化機賃貸システムを構築することを目的とする。【解決手段】  少なくとも酸素富化手段（図示せず）を有する本体１ａからなる酸素富化機を備え、前記酸素富化機をレンタル商品１として貸出し、前記レンタル商品１の使用状況に基づき、レンタル費を算出して前記レンタル費を得る酸素富化機のレンタル方法で、使用者が酸素富化機１を使用した使用状況のその分だけレンタル費を支払うことで、また、酸素富化空気を取り入れリラックスしたい時のみに、レンタル品として使用できることで、使用したい時のみに使用することが実現でき、ライフサイクルコストを低減することができる。【選択図】  図１
2005071006.tif 000002
【特許請求の範囲】
【請求項１】
少なくとも酸素富化手段を有する本体からなる酸素富化機を備え、前記酸素富化機をレンタル商品として貸出し、前記レンタル商品の使用状況に基づき、レンタル費を算出して前記レンタル費を得る酸素富化機のレンタル方法。
【請求項２】
酸素富化手段を有する本体、前記酸素富化手段に連通し前記酸素富化手段で得らた酸素富化空気を吐出する酸素富化空気吐出手段からなる酸素富化機を備え、前記本体をレンタル商品として貸出し、前記レンタル商品の使用状況に基づき、レンタル費を算出して前記レンタル費を得る酸素富化機のレンタル方法。
【請求項３】
酸素富化手段を有する本体、前記酸素富化手段に連通し前記酸素富化手段で得らた酸素富化空気を吐出する酸素富化空気吐出手段からなる酸素富化機を備え、前記吐出手段をレンタル商品として貸出し、前記レンタル商品の使用状況に基づき、レンタル費を算出して前記レンタル費を得る酸素富化機のレンタル方法。
【請求項４】
少なくとも酸素富化手段を有する本体からなる酸素富化機を備え、前記酸素富化機を使用可能な設備とし、前記設備の使用状況に基づき、設備使用費を算出して前記設備使用費を得る酸素富化機のレンタル方法。
【請求項５】
酸素富化手段を有する本体、前記酸素富化手段に連通し前記酸素富化手段で得らた酸素富化空気を吐出する酸素富化空気吐出手段からなる酸素富化機を備え、前記本体を使用可能な設備とし、前記設備の使用状況に基づき、設備使用費を算出して前記設備使用費を得る酸素富化機のレンタル方法。
【請求項６】
少なくとも酸素富化手段を有する本体からなる酸素富化機を備え、前記酸素富化機を使用者に販売し、販売後の前記酸素富化機を保管し、保管状況に基づき、保管費を算出して前記保管費を得る酸素富化機のレンタル方法。
【請求項７】
酸素富化手段を有する本体、前記酸素富化手段に連通し前記酸素富化手段で得らた酸素富化空気を吐出する酸素富化空気吐出手段からなる酸素富化機を備え、前記本体を使用者に販売し、販売後の前記本体を保管し、保管状況に基づき、保管費を算出して前記保管費を得る酸素富化機のレンタル方法。
【請求項８】
酸素富化手段を有する本体、前記酸素富化手段に連通し前記酸素富化手段で得らた酸素富化空気を吐出する酸素富化空気吐出手段からなる酸素富化機を備え、前記吐出手段を使用者に販売し、販売後の前記吐出手段を保管し、保管状況に基づき、保管費を算出して前記保管費を得る酸素富化機のレンタル方法。
【請求項９】
少なくとも酸素富化手段を有する本体からなる酸素富化機を備え、前記酸素富化機を使用する部屋、席、個室等の場所または空間を使用者に提供し、使用者が使用した場所または空間の使用状況に基づき、使用費を算出して、前記使用費を得る酸素富化機のレンタル方法。
【請求項１０】
旅客機、客船、旅客列車、バス等の輸送媒体またはスポーツジム、サウナ等の公共施設にて、酸素富化機を設備またはレンタル品として用いる請求項１〜９のいずれか１項に記載の酸素富化機のレンタル方法。
【請求項１１】
酸素富化機を複数台備えた請求項１〜１０のいずれか１項に記載の酸素富化機のレンタル方法。
【請求項１２】
少なくとも酸素富化手段を有する本体からなる酸素富化機と、前記酸素富化機をレンタル商品として貸出し、前記レンタル商品の使用状況に基づき、レンタル費を算出するサーバとを備えた酸素富化機のレンタル管理システム。
【請求項１３】
酸素富化手段を有する本体、前記酸素富化手段に連通し前記酸素富化手段で得らた酸素富化空気を吐出する酸素富化空気吐出手段からなる酸素富化機と、前記本体をレンタル商品として貸出し、前記レンタル商品の使用状況に基づき、レンタル費を算出するサーバとを備えた酸素富化機のレンタル管理システム。
【請求項１４】
酸素富化手段を有する本体、前記酸素富化手段に連通し前記酸素富化手段で得らた酸素富化空気を吐出する酸素富化空気吐出手段からなる酸素富化機と、前記吐出手段をレンタル商品として貸出し、前記レンタル商品の使用状況に基づき、レンタル費を算出するサーバとを備えた酸素富化機のレンタル管理システム。
【請求項１５】
少なくとも酸素富化手段を有する本体からなる酸素富化機と、前記酸素富化機を使用可能な設備とし、前記設備の使用状況に基づき、設備使用費を算出するサーバとを備えた酸素富化機のレンタル管理システム。
【請求項１６】
酸素富化手段を有する本体、前記酸素富化手段に連通し前記酸素富化手段で得らた酸素富化空気を吐出する酸素富化空気吐出手段からなる酸素富化機と、前記本体を使用可能な設備とし、前記設備の使用状況に基づき、設備使用費を算出するサーバとを備えた酸素富化機のレンタル管理システム。
【請求項１７】
少なくとも酸素富化手段を有する本体からなる酸素富化機と、前記酸素富化機を使用者に販売し、販売後の前記酸素富化機を保管し、保管状況に基づき、保管費を算出するサーバとを備えた酸素富化機のレンタル管理システム。
【請求項１８】
酸素富化手段を有する本体、前記酸素富化手段に連通し前記酸素富化手段で得らた酸素富化空気を吐出する酸素富化空気吐出手段からなる酸素富化機と、前記本体を使用者に販売し、販売後の前記本体を保管し、保管状況に基づき、保管費を算出するサーバとを備えた酸素富化機のレンタル管理システム。
【請求項１９】
酸素富化手段を有する本体、前記酸素富化手段に連通し前記酸素富化手段で得らた酸素富化空気を吐出する酸素富化空気吐出手段からなる酸素富化機と、前記吐出手段を使用者に販売し、販売後の前記吐出手段を保管し、保管状況に基づき、保管費を算出するサーバとを備えた酸素富化機のレンタル管理システム。
【請求項２０】
少なくとも酸素富化手段を有する本体からなる酸素富化機と、前記酸素富化機を使用する部屋、席、個室等の場所または空間を使用者に提供し、使用者が使用した場所または空間の使用状況に基づき、使用費を算出するサーバとを備えた酸素富化機のレンタル管理システム。
【請求項２１】
旅客機、客船、旅客列車、バス等の輸送媒体またはスポーツジム、サウナ等の公共施設にて、酸素富化機を設備またはレンタル品として用いる請求項１２〜２０のいずれか１項に記載の酸素富化機のレンタル管理システム。
【請求項２２】
酸素富化機を複数台備えた請求項１２〜２１のいずれか１項に記載の酸素富化機のレンタル管理システム。
【請求項２３】
コンピュータを、請求項１〜２２のいずれか１項に記載の酸素富化機のレンタル方法および／またはレンタル管理システムとして機能させるためのプログラム。
【請求項２４】
コンピュータを、使用者の使用状況を記憶する記憶手段と、前記使用状況のデータから費用を算出する算出手段として機能させるための請求項２３記載のプログラム。
【発明の詳細な説明】
【技術分野】
【０００１】
本発明は、酸素富化空気を使用者に提供する酸素富化機に関するものである。
【背景技術】
【０００２】
従来の酸素富化機としては、空気中の酸素を濃縮して酸素富化空気を発生させる装置本体と、これに接続された酸素吐出部と、音声発生源と、ヘッドホンタイプの音声出力部等を備え、前記酸素吐出部と前記音声出力部を一体にし、前記酸素吐出部を人体の口の部分に位置させることで酸素吸入できるようにしてある（例えば、特許文献１参照）。
【特許文献１】特開平３−６３０６７号公報
【発明の開示】
【発明が解決しようとする課題】
【０００３】
しかしながら前記従来の構成においては、酸素富化機は購入して使用されるのが実状である。この酸素富化機を購入者が使用するときは、契約している電力会社（日本では地域毎に定められた電力会社）から電力が供給される。酸素富化機が故障した場合、その故障が保証期間内に起こったのであれば無料で修理し、保証期間が過ぎてから故障が生じたら有料で修理される。この酸素富化機を廃棄するときは、電化製品であることから産業廃棄物として処理される。既にテレビや冷蔵庫等の特定製品については、リサイクルの推進のため２００１年４月から有料となっていることから、現在は無料であるが将来的には、有料になると考えられる。
【０００４】
つまり、上記従来の酸素富化機の利用状況においては、酸素富化機を購入して使用すると初期費用が多大になり、購入後にさらに良い製品が発表され買い替えを望んでも、資金的に購入が困難となる。また、初期費用を低減するために、金融会社との間でファイナンス契約を結ぶときは、トータルで見ると、金利や手数料のコストが余計に必要となる。その際、金融会社は、貸し倒れリスクに応じて金利や手数料の割合を変化させるので、一般の消費者にとっては、金利や手数料の製品に占める割合が比較的大きくなる。また、酸素富化機を購入して使用するとなると家庭でしか使用できず、旅行や買い物、仕事での出張等の出かけた出先や宿泊先等で使用できない。または、その移動中の輸送媒体内、例えば列車、電車、バス、飛行機、船、車の中で使用したい時に使用できないという課題を有していた。
【０００５】
ところで、酸素富化機を使用するに当たっては、購入時のイニシャルコストと、電力料金や修理費用等のランニングコストと廃棄の時に発生する廃棄コスト（将来発生した場合）の合計が、電化製品を購入してから廃棄するまでに要する費用である。この合計費用であるライフサイクルコストが少ないことが、使用者にとっては望ましい。つまりは使用者が酸素富化機を使用したその分だけにコストを支払うのが最も使用者または消費者にとって最適となる。
【０００６】
また、家庭でしか使用できないということは、購入後の酸素富化機のトータルでの使用時間は限られたものとなり、ライフサイクルコストは高くなることを意味する。つまり、酸素富化機を家庭だけでなく、旅行や買い物、仕事での出張等の出かけた出先や宿泊先等で使用できるようにまたは、その移動中の輸送媒体内、例えば列車、電車、バス、飛行機、船、車の中で使用したい時に使用できるようにすることでライフサイクルコストを低減することができる。
【０００７】
本発明は上記従来技術の有する不具合に鑑みなされたものであり、ライフサイクルコストを低減する酸素富化機賃貸システムを構築することを目的とする。
【課題を解決するための手段】
【０００８】
前記従来の課題を解決するために本発明は、少なくとも酸素富化手段を有する本体からなる酸素富化機を備え、前記酸素富化機をレンタル商品として貸出し、前記レンタル商品の使用状況に基づき、レンタル費を算出して前記レンタル費を得る酸素富化機のレンタル方法で、使用者が酸素富化機を使用した使用状況のその分だけレンタル費を支払うことで、ライフサイクルコストを低減することができる。
【０００９】
また、酸素富化空気を取り入れリラックスしたい時のみに、レンタル品として使用できることで、使用したい時のみに使用することが実現でき、ライフサイクルコストを低減することができる。
【発明の効果】
【００１０】
以上のように本発明によれば、使用者が酸素富化機を使用した使用状況のその分だけレンタル費を支払うことでライフサイクルコストを低減する酸素富化機賃貸システムを提供することができる。
【発明を実施するための最良の形態】
【００１１】
第１の発明は、少なくとも酸素富化手段を有する本体からなる酸素富化機を備え、前記酸素富化機をレンタル商品として貸出し、前記レンタル商品の使用状況に基づき、レンタル費を算出して前記レンタル費を得る酸素富化機のレンタル方法で、使用者が酸素富化機を使用した使用状況のその分だけレンタル費を支払うことで、ライフサイクルコストを低減することができる。
【００１２】
また、酸素富化空気を取り入れリラックスしたい時のみに、レンタル品として使用できることで、使用したい時のみに使用することが実現でき、ライフサイクルコストを低減することができる。
【００１３】
また、重量や外観が比較的大きい本体を、家等に保管する手間や煩わしさも省るため、使用性も向上する。
【００１４】
持ち歩く必要もないため、使用性も向上する。
【００１５】
第２の発明は、酸素富化手段を有する本体、前記酸素富化手段に連通し前記酸素富化手段で得らた酸素富化空気を吐出する酸素富化空気吐出手段からなる酸素富化機を備え、前記本体をレンタル商品として貸出し、前記レンタル商品の使用状況に基づき、レンタル費を算出して前記レンタル費を得る酸素富化機のレンタル方法で、使用者が酸素富化機を使用した使用状況のその分だけレンタル費を支払うことで、ライフサイクルコストを低減することができる。
【００１６】
また、酸素富化空気を取り入れリラックスしたい時のみに、レンタル品として使用できることで、使用したい時のみに使用することが実現でき、ライフサイクルコストを低減することができる。
【００１７】
また、重量や外観が比較的大きい本体を、家等に保管する手間や煩わしさも省るため、使用性も向上する。
【００１８】
第３の発明は、酸素富化手段を有する本体、前記酸素富化手段に連通し前記酸素富化手段で得らた酸素富化空気を吐出する酸素富化空気吐出手段からなる酸素富化機を備え、前記吐出手段をレンタル商品として貸出し、前記レンタル商品の使用状況に基づき、レンタル費を算出して前記レンタル費を得る酸素富化機のレンタル方法で、使用者が酸素富化機を使用した使用状況のその分だけレンタル費を支払うことで、ライフサイクルコストを低減することができる。
【００１９】
また、酸素富化空気を取り入れリラックスしたい時のみに、レンタル品として使用できることで、使用したい時のみに使用することが実現でき、ライフサイクルコストを低減することができる。
【００２０】
また、本体が使用する場所に装着してある場合には、吐出手段をレンタル商品として貸出すことで、何も持ち歩く必要もないため、使用性も向上する。
【００２１】
第４の発明は、少なくとも酸素富化手段を有する本体からなる酸素富化機を備え、前記酸素富化機を使用可能な設備とし、前記設備の使用状況に基づき、設備使用費を算出して前記設備使用費を得る酸素富化機のレンタル方法で、使用者が酸素富化機を使用した使用状況のその分だけ設備使用費を支払うことで、ライフサイクルコストを低減することができる。
【００２２】
また、酸素富化空気を取り入れリラックスしたい時のみに、レンタル品として使用できることで、使用したい時のみに使用することが実現でき、ライフサイクルコストを低減することができる。
【００２３】
また、重量や外観が比較的大きい本体を、家等に保管する手間や煩わしさも省るため、使用性も向上する。
【００２４】
第５の発明は、酸素富化手段を有する本体、前記酸素富化手段に連通し前記酸素富化手段で得らた酸素富化空気を吐出する酸素富化空気吐出手段からなる酸素富化機を備え、前記本体を使用可能な設備とし、前記設備の使用状況に基づき、設備使用費を算出して前記設備使用費を得る酸素富化機のレンタル方法で、使用者が酸素富化機を使用した使用状況のその分だけ設備使用費を支払うことで、ライフサイクルコストを低減することができる。
【００２５】
また、酸素富化空気を取り入れリラックスしたい時のみに、レンタル品として使用できることで、使用したい時のみに使用することが実現でき、ライフサイクルコストを低減することができる。
【００２６】
また、重量や外観が比較的大きい本体を、家等に保管する手間や煩わしさも省るため、使用性も向上する。
【００２７】
第６の発明は、少なくとも酸素富化手段を有する本体からなる酸素富化機を備え、前記酸素富化機を使用者に販売し、販売後の前記酸素富化機を保管し、保管状況に基づき、保管費を算出して前記保管費を得る酸素富化機のレンタル方法で、重量や外観が比較的大きい本体を、家等に保管する手間や煩わしさも省るため、使用性が向上する。
【００２８】
第７の発明は、酸素富化手段を有する本体、前記酸素富化手段に連通し前記酸素富化手段で得らた酸素富化空気を吐出する酸素富化空気吐出手段からなる酸素富化機を備え、前記本体を使用者に販売し、販売後の前記本体を保管し、保管状況に基づき、保管費を算出して前記保管費を得る酸素富化機のレンタル方法で、重量や外観が比較的大きい本体を、家等に保管する手間や煩わしさも省るため、使用性が向上する。
【００２９】
第８の発明は、酸素富化手段を有する本体、前記酸素富化手段に連通し前記酸素富化手段で得らた酸素富化空気を吐出する酸素富化空気吐出手段からなる酸素富化機を備え、前記吐出手段を使用者に販売し、販売後の前記吐出手段を保管し、保管状況に基づき、保管費を算出して前記保管費を得る酸素富化機のレンタル方法で、使用者が主に口付近に設ける前記吐出手段は販売購入することで、衛生的であるとともに、比較的大きさの小さい前記吐出手段を家等に保管して紛失してしまう心配手間も省るため、使用性が向上する。
【００３０】
第９の発明は、少なくとも酸素富化手段を有する本体からなる酸素富化機を備え、前記酸素富化機を使用する部屋、席、個室等の場所または空間を使用者に提供し、使用者が使用した場所または空間の使用状況に基づき、使用費を算出して、前記使用費を得る酸素富化機のレンタル方法で、使用者が酸素富化機を使用した使用状況のその分だけ使用費を支払うことで、ライフサイクルコストを低減することができる。
【００３１】
また、酸素富化空気を取り入れリラックスしたい時のみに、レンタル品として使用できることで、使用したい時のみに使用することが実現でき、ライフサイクルコストを低減することができる。
【００３２】
また、重量や外観が比較的大きい本体を、家等に保管する手間や煩わしさも省るため、使用性も向上する。
【００３３】
第１０の発明は、旅客機、客船、旅客列車、バス等の輸送媒体またはスポーツジム、サウナ等の公共施設にて、酸素富化機を設備またはレンタル品として用いるもので、輸送媒体の中やスポーツ時等の、酸素富化空気を取り入れリラックスしたい時のみに、レンタル品として使用できることで、使用したい時のみに使用することが実現でき、ライフサイクルコストを低減することができる。
【００３４】
第１１の発明は、酸素富化機を複数台備えたもので、複数の人々が酸素富化機を同時に使用することが可能となる。
【００３５】
第１２の発明は、少なくとも酸素富化手段を有する本体からなる酸素富化機と、前記酸素富化機をレンタル商品として貸出し、前記レンタル商品の使用状況に基づき、レンタル費を算出するサーバとを備えた酸素富化機のレンタル管理システムで、使用者が酸素富化機を使用した使用状況のその分だけレンタル費を支払うことで、また、酸素富化空気を取り入れリラックスしたい時のみに、レンタル品として使用できることで、ライフサイクルコストを低減でき、さらに、重量や外観が比較的大きい本体を、家等に保管する手間や煩わしさも省る管理システムを構築するものである。
【００３６】
第１３の発明は、酸素富化手段を有する本体、前記酸素富化手段に連通し前記酸素富化手段で得らた酸素富化空気を吐出する酸素富化空気吐出手段からなる酸素富化機と、前記本体をレンタル商品として貸出し、前記レンタル商品の使用状況に基づき、レンタル費を算出するサーバとを備えた酸素富化機のレンタル管理システムで、使用者が酸素富化機を使用した使用状況のその分だけレンタル費を支払うことで、また、酸素富化空気を取り入れリラックスしたい時のみに、レンタル品として使用できることで、ライフサイクルコストを低減でき、さらに、重量や外観が比較的大きい本体を、家等に保管する手間や煩わしさも省る管理システムを構築するものである。
【００３７】
第１４の発明は、酸素富化手段を有する本体、前記酸素富化手段に連通し前記酸素富化手段で得らた酸素富化空気を吐出する酸素富化空気吐出手段からなる酸素富化機と、前記吐出手段をレンタル商品として貸出し、前記レンタル商品の使用状況に基づき、レンタル費を算出するサーバとを備えた酸素富化機のレンタル管理システムで、使用者が酸素富化機を使用した使用状況のその分だけレンタル費を支払うことで、また、酸素富化空気を取り入れリラックスしたい時のみに、レンタル品として使用できることで、ライフサイクルコストを低減することができ、また、本体が使用する場所に装着してある場合には、吐出手段をレンタル商品として貸出すことで、何も持ち歩く必要もないため、使用性も向上する管理システムを構築するものである。
【００３８】
第１５の発明は、少なくとも酸素富化手段を有する本体からなる酸素富化機と、前記酸素富化機を使用可能な設備とし、前記設備の使用状況に基づき、設備使用費を算出するサーバとを備えた酸素富化機のレンタル管理システムで、使用者が酸素富化機を使用した使用状況のその分だけ設備使用費を支払うことで、また、酸素富化空気を取り入れリラックスしたい時のみに、レンタル品として使用できることで、ライフサイクルコストを低減することができ、また、重量や外観が比較的大きい本体を、家等に保管する手間や煩わしさも省る管理システムを構築するものである。
【００３９】
第１６の発明は、酸素富化手段を有する本体、前記酸素富化手段に連通し前記酸素富化手段で得らた酸素富化空気を吐出する酸素富化空気吐出手段からなる酸素富化機と、前記本体を使用可能な設備とし、前記設備の使用状況に基づき、設備使用費を算出するサーバとを備えた酸素富化機のレンタル管理システムで、使用者が酸素富化機を使用した使用状況のその分だけ設備使用費を支払うことで、また、酸素富化空気を取り入れリラックスしたい時のみに、レンタル品として使用できることで、ライフサイクルコストを低減することができ、また、重量や外観が比較的大きい本体を、家等に保管する手間や煩わしさも省る管理システムを構築するものである。
【００４０】
第１７の発明は、少なくとも酸素富化手段を有する本体からなる酸素富化機と、前記酸素富化機を使用者に販売し、販売後の前記酸素富化機を保管し、保管状況に基づき、保管費を算出するサーバとを備えた酸素富化機のレンタル管理システムで、重量や外観が比較的大きい本体を、家等に保管する手間や煩わしさも省る管理システムを構築するものである。
【００４１】
第１８の発明は、酸素富化手段を有する本体、前記酸素富化手段に連通し前記酸素富化手段で得らた酸素富化空気を吐出する酸素富化空気吐出手段からなる酸素富化機と、前記本体を使用者に販売し、販売後の前記本体を保管し、保管状況に基づき、保管費を算出するサーバとを備えた酸素富化機のレンタル管理システムで、重量や外観が比較的大きい本体を、家等に保管する手間や煩わしさも省る管理システムを構築するものである。
【００４２】
第１９の発明は、酸素富化手段を有する本体、前記酸素富化手段に連通し前記酸素富化手段で得らた酸素富化空気を吐出する酸素富化空気吐出手段からなる酸素富化機と、前記吐出手段を使用者に販売し、販売後の前記吐出手段を保管し、保管状況に基づき、保管費を算出するサーバとを備えた酸素富化機のレンタル管理システムで、使用者が主に口付近に設ける前記吐出手段は販売購入することで、衛生的であるとともに、比較的大きさの小さい前記吐出手段を家等に保管して紛失してしまう心配手間も省る管理システムを構築するものである。
【００４３】
第２０の発明は、少なくとも酸素富化手段を有する本体からなる酸素富化機と、前記酸素富化機を使用する部屋、席、個室等の場所または空間を使用者に提供し、使用者が使用した場所または空間の使用状況に基づき、使用費を算出するサーバとを備えた酸素富化機のレンタル管理システムで、使用者が酸素富化機を使用した使用状況のその分だけ使用費を支払うことで、また、酸素富化空気を取り入れリラックスしたい時のみに、レンタル品として使用できることで、ライフサイクルコストを低減することができ、また、重量や外観が比較的大きい本体を、家等に保管する手間や煩わしさも省る管理システムを構築するものである。
【００４４】
第２１の発明は、旅客機、客船、旅客列車、バス等の輸送媒体またはスポーツジム、サウナ等の公共施設にて、酸素富化機を設備またはレンタル品として用いるもので、酸素富化空気を取り入れリラックスしたい時のみに、レンタル品として使用できることで、使用したい時のみに使用することが実現でき、ライフサイクルコストを低減する管理システムを構築するものである。
【００４５】
第２２の発明は、酸素富化機を複数台備えたもので、複数の人々が酸素富化機を同時に使用することが可能となる管理システムを構築するものである。
【００４６】
第２３の発明は、コンピュータを、請求項１〜９、１２〜２０のいずれか１項に記載の酸素富化機のレンタル方法および／またはレンタル管理システムとして機能させるためのプログラムで、前記酸素富化機のレンタル方法および／またはレンタル管理システムの管理および推進を、コンピュータにて迅速かつ確実に実践させるものである。
【００４７】
第２４の発明は、コンピュータを、使用者の使用状況を記憶する記憶手段と、前記使用状況のデータから費用を算出する算出手段として機能させるためのプログラムで、レンタル費用を、コンピュータにて迅速かつ確実に算出できるものである。
【００４８】
以下、本発明の実施の形態について、図面を参照しながら説明する。なお、この実施の形態によって本発明が限定されるものではない。
【００４９】
（実施の形態１）
以下、本発明の第１の実施の形態について図面を用いて説明する。
【００５０】
図２において、酸素富化機の本体１ａの内部には、酸素の濃度を高め、いわゆる酸素富化空気を発生する、例えば酸素富化膜ユニット等の酸素富化手段（以下、「酸素富化膜ユニット」と称す）（図示せず）を設けている。前記酸素富化膜ユニットは有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニットを通過後の酸素富化空気においては、酸素が占める割合が約３０％（窒素約７０％）となる。
【００５１】
１ｂは、酸素富化空気を、使用者に供給するためのヘッドセットユニット等の酸素富化空気吐出手段である。本体１ａと吐出手段１ｂは、塩化ビニル等の柔軟な透明チューブからなる連結管１ｃで接続されているとともに、少なくとも前記吐出手段１ｂは前記本体１ａより離脱可能な構成となっている。
【００５２】
図１に、本発明の管理システムの一実施態様を示すブロック図を示す。レンタル商品１である酸素富化機は、送受信手段１１と制御手段１２、検知手段１３、記憶手段１４、表示手段１５とを備える。サーバ２は、送受信装置２１と、制御手段２２、算出手段２３、記憶手段２４とを備える。レンタル商品１である酸素富化機の吐出手段１ｂ、連結管１ｃ及び本体１ａの使用状況は、検知手段１３で検知される。ここで検知手段１３としては、レンタル商品１の使用状況を検知するものであれば特に限定はなく、使用時間や使用回数を検知するものが好ましい。またここで、レンタル商品１を複数個備え、１人の使用者が一度に何台レンタル使用したかも検知するものが好ましい。
【００５３】
検知手段１３で検知されたデータは制御手段１２を介して記憶手段１４に送られる。そして蓄積されたデータは一定期間ごとに記憶手段１４から送受信手段１１を介してサーバ２へ送られる。送受信手段１１はレンタル商品１に一体的に組み込まれていてもよいし、別体として、いわゆるＬＡＮステーションの役割を果たしてもよい。送受信手段１１にＬＡＮステーションの役割を果たさせる場合、レンタル商品１と送受信手段１１との通信手段は有線・無線のいずれであってもよい。無線通信によるときには、例えば短波長の近距離無線通信である「ブルートゥース」が好適に使用できる。
【００５４】
サーバ２へのデータ送信時期としては、レンタル費の精算期間とするのが実用的である。例えばレンタル使用した都度レンタル費を精算するまたは、月ごとにレンタル費を精算する場合には、記憶手段１４の蓄積データを一ヶ月ごとにサーバ２へ送信すればよい。またレンタル契約が月半ばで終了する場合などには、適当な時期にサーバ２から要求して、記憶手段１４の蓄積データを記憶手段１４からサーバ２に送信させればよい。
【００５５】
レンタル商品１からサーバ２へ送られた使用状況を示すデータは、サーバ２の送受信手段２１、制御手段２２を介して算出手段２３に送られ、ここでレンタル費が算出される。レンタル費はレンタル商品１の使用状況に基づいて算出される。算出方法はレンタル商品１の種類などにより定められたレンタル時の契約内容に従う。例えば、使用状況として使用時間を検知する商品の場合には、単位時間当たりの単価に使用時間を乗じてレンタル費を算出する。また使用時間と使用回数を検知する商品の場合には、使用１回当たり料金に使用回数を乗じ、単位時間当たりの単価に使用時間を乗じたものをこれに加えてレンタル費とする。
【００５６】
算出手段２３で算出されたレンタル費は、制御手段２２を介して記憶手段２４に送られ記憶される。そして例えばレンタル費を決済するときに、利用者の口座開設銀行にレンタル費のデータを送信し、当該口座からレンタル費を引き落とすようにしてもよい。このようにすれば、レンタル商品の使用状況の把握、レンタル費の算出およびその決済が通信回線を介してすべて行うことができ、これまでのレンタル商品の管理システムに比べ労力および時間が格段に少なくすることができる。また、利用者の口座残高が少なく、レンタル費の決済ができない場合には、サーバからの信号によりレンタル商品を不作動状態として、レンタル費の回収が円滑に行われるようにしてもよい。
【００５７】
また算出手段２３で算出したレンタル費をレンタル商品１に送信し、レンタル商品１に設けた表示手段１５に表示さてもよい。このような構成によれば、利用者は知りたいときにレンタル費を知ることができ、レンタル商品１の計画的な使用が可能となる。レンタル費の表示手段１５への送信時期としては特に限定はなく、例えばレンタル費の決済時および利用者からの要求があった時が挙げられる。ここで表示手段１５は、レンタル商品１に一体として組み込まれていてもよいし、別体としてレンタル商品１と異なる位置に設置してもよい。また専用の表示手段である必要はなく、例えばファクシミリや携帯電話、テレビといった既存の表示装置を代用してもよい。
【００５８】
上記により、使用者は酸素富化機を使用した使用状況のその分だけレンタル費を支払うことでライフサイクルコストを低減することができる。
【００５９】
（実施の形態２）
次に本発明の管理システムの他の実施態様を図３に示す。
【００６０】
図３の管理システムは、サーバ２から送信された作動制御用のソフトウエアにより、レンタル商品１の作動を制御することを一つの特徴とするものである。レンタル商品１は、制御手段１２と、利用者が使用するソフトウエアを選択入力するための入出力装置１８、レンタル商品１の作動状態を検知するセンサ１９と、サーバ２から送信されるソフトウエアなどの信号を受信する送受信手段１１、信号を復調する復調器１６ａ、デコーダ１７ａ、記憶手段１４を備える。そして、記憶手段１４に格納されたソフトウエアを制御手段１２が順次読み出して、センサ１９によりレンタル商品１の作動状態を検知しながらその作動を制御する。またソフトウエアを使用したことに対する費用は前記レンタル費に加算される。このような構成によれば、利用者はレンタル商品を作動させるソフトウエアを、最新のソフトウエアを含む多数のソフトウエアの中から選択することができ、最適のソフトウエアでレンタル商品１を作動させることができる。
【００６１】
例えばレンタル商品１である酸素富化機は、これまでは約２Ｌ／分の風量、酸素濃度約３０％の濃度で吐出手段より吹出しており、また運転時間は、１０分、２０分、３０分のタイマー運転中からしか利用者は選べなかった。一方、本発明の管理システムでは、使用者の体温、脈拍数、血糖値、血圧、コレステロール値、身長、体重、視力、尿酸、体脂肪率等いった様々な使用者の体調や健康状態の要素を組み合わせた多数のソフトウエアの中から利用者に合ったソフトウエアを選択できる。使用者の体調や健康状態に関する情報を入力して、酸素富化手段を有する本体１ａへ使用者の体調や健康状態に応じて酸素濃度、吹出し風量、温度を変化させ、適正な使用時間を示す制御情報を出力することで、使用者の体調や健康状態に最適な酸素濃度、吹出し風量、温度の酸素富化空気を提供することができる。またソフトウエアの使用に対する費用は、サーバでレンタル費に加算され、利用者に請求されるので、決済処理手続きが簡単となる。
【００６２】
図４に、このような管理システムにおけるレンタル商品１の制御フローチャートの一例を示す。ステップＳ１１で、入出力手段を操作して利用者がレンタル商品１とサーバと接続する。ステップＳ１２で、ソフトウエア選択画面を入出力手段に表示する。このときの画面の表示例を図５に示す。図５の画面表示では、ソフトウエアの制御内容を概説したリストがその使用料金と共に表示される。そして、図５の画面において利用者が、使用を希望するソフトウエアの番号部分をマウスポインタＭＰを操作してクイックすることにより選択手続きが完了する（ステップＳ１３）。利用者が入力したソフトウエアの選択信号をサーバに送信する（ステップＳ１４）。そして選択したソフトウエアをレンタル商品が受信すると（ステップＳ１５）、レンタル商品１の記憶手段に格納される（ステップＳ１６）。そしてステップＳ１７で、前記ソフトウエアに基づきレンタル商品１の作動が制御される。
【００６３】
（実施の形態３）
本発明の管理システムの他の実施態様を図６に示す。図６の管理システムは、図３の管理システムと異なり、レンタル商品１にソフトウエアの格納用記憶手段を備えていないものであって、サーバ２がソフトウエアを保有し、通信回線を介してサーバ２からレンタル商品１に作動制御信号を送信し、レンタル商品１の作動を制御することを一つの特徴とするものである。図６におけるレンタル商品１では、利用者が希望するソフトウエアを選択入力すると、サーバ２が保有する選択されたソフトウエアから作動制御信号が通信回線を介してレンタル商品１に送信される。送信された作動制御信号は送受信手段１１、信号を復調する復調器１６ａ、デコーダ１７ａを通って制御手段１２に至る。そしてレンタル商品１の作動が制御される。一方、レンタル商品１の状態はセンサ１９により検知される。検知データは、制御手段１２、エンコーダ１７ｂ、変調器１６ｂ、送受信手段１１を通ってサーバ２のソフトウエアにフィードバックされ、このデータに基づき作動制御信号がレンタル商品１へ送信される。このような作動制御信号、検知データの送受信の繰り返しによりレンタル商品の制御がなされる。例えばレンタル商品１である酸素富化機は、これまでは約２Ｌ／分の風量、酸素濃度約３０％の濃度で吐出手段より吹出しており、また運転時間は、１０分、２０分、３０分のタイマー運転中からしか利用者は選べなかっが、使用者の体温、脈拍数、血糖値、血圧、コレステロール値、身長、体重、視力、尿酸、体脂肪率等いった様々な使用者の体調や健康状態の要素を組み合わせた多数のソフトウエアの中から利用者に合ったソフトウエアを選択できる。使用者の体調や健康状態に関する情報を入力して、その情報はサーバ２に送られる。サーバ２では、入力された情報を基に酸素富化手段を有する本体１ａへ使用者の体調や健康状態に応じて酸素濃度、吹出し風量、温度を変化させ、適正な使用時間示す制御情報を出力することで、作動制御信号としてこれらを本体１ａへ適宜送信し運転を制御し、使用者の体調や健康状態に最適な酸素濃度、吹出し風量、温度の酸素富化空気を提供することができる。なお、利用者が選択したソフトウエアによりレンタル商品１を制御することに対する費用は前記レンタル費に加算される。
【００６４】
またさらには、使用者の脳波、心電図、赤血球数、白血球数等の更に詳細な使用者の人体に対する情報を入力して、その情報はサーバ２に送れば更に最適な情報を本体１ａへ出力することで、作動制御信号としてこれらを本体１ａへ適宜送信し運転を制御し、更に最適なな酸素濃度、吹出し風量、温度の酸素富化空気を提供することができる。
【００６５】
また、上記したような使用者に関する情報をデーターベース化し、同データーベースを用いて入力された使用者に関する情報により、本体１ａへ使用者の個人情報に応じて酸素濃度、吹出し風量、温度を変化させる制御情報を出力することで、使用者に関する情報により使用者に最適な酸素濃度、吹出し風量、温度の酸素富化空気を提供することもできる。
【００６６】
このような構成によれば、図３の管理システムと同様に、最新のソフトウエアを含む多数のソフトウエアの中から選択することができ、最適のソフトウエアでレンタル商品を作動させることができる。またその費用はサーバでレンタル費に加算されて利用者に請求されるので、決済処理手続きが簡単となる。さらに、この管理システムでは、サーバからレンタル商品に作動制御信号を送信し、レンタル商品１を制御するので、ソフトウエアを記憶するための記憶手段をレンタル商品１が備える必要がない。
【００６７】
上記により、使用者の体調に関する情報を入力して、酸素富化手段を有する本体１ａへ使用者の体調に応じて酸素濃度、吹出し風量、温度を変化させる制御情報を出力することで、使用者の体調に最適な酸素濃度、吹出し風量、温度の酸素富化空気を提供することができる。
【００６８】
また、使用者の脳波に関する情報を入力して、酸素富化手段を有する本体１ａへ使用者の脳波に応じて酸素濃度、吹出し風量、温度を変化させる制御情報を出力することで、使用者の脳波に対応して使用者に最適な酸素濃度、吹出し風量、温度の酸素富化空気を提供することができる。
【００６９】
更には、使用者に関する情報をデーターベース化し、同データーベースを用いて入力された使用者に関する情報により酸素富化手段を有する本体１ａへ使用者の個人情報に応じて酸素濃度、吹出し風量、温度を変化させる制御情報を出力することで、使用者に関する情報により使用者に最適な酸素濃度、吹出し風量、温度の酸素富化空気を提供することができる。
【００７０】
（実施の形態４）
次に本発明の管理システムの他の実施態様について説明する。
【００７１】
酸素富化膜ユニットを有する本体１ａ、前記酸素富化膜ユニットに連通し前記酸素富化膜ユニットで得らた酸素富化空気を吐出する酸素富化空気吐出手段１ｂ、前記本体１ａと前記酸素富化空気吐出手段１ｂを接続する連結管１ｃからなる酸素富化機を基に説明する。なお、前記酸素富化空気吐出手段１ｂと前記連結管１ｃおよび前記本体１ａと前記前記連結管１ｃは着脱自在な構成となっている。
【００７２】
酸素富化機をレンタル商品１として貸出し、前記レンタル商品１の使用状況に基づき、レンタル費を算出して前記レンタル費を得る酸素富化機のレンタル方法で、使用者が酸素富化機を使用した使用状況のその分だけレンタル費を支払うことで、ライフサイクルコストを低減することができる。また、酸素富化空気を取り入れリラックスしたい時のみに、レンタル品として使用できることで、使用したい時のみに使用することが実現でき、ライフサイクルコストを低減することができる。また、重量や外観が比較的大きい本体１ａを、家等に保管する手間や煩わしさも省るため、使用性も向上する。なお、上記においては、本体１ａのみをレンタル商品とする場合も含む。
【００７３】
また、前記吐出手段１ｂと前記連結管１ｃ、または、前記吐出手段１ｂをレンタル商品１として貸出し、前記レンタル商品１の使用状況に基づき、レンタル費を算出して前記レンタル費を得る酸素富化機のレンタル方法で、使用者がレンタル商品１を使用した使用状況のその分だけレンタル費を支払うことで、ライフサイクルコストを低減することができる。また、酸素富化空気を取り入れリラックスしたい時のみに、レンタル商品１として使用できることで、使用したい時のみに使用することが実現でき、ライフサイクルコストを低減することができる。また、本体１ａ、または、本体１ａと連結管１ｃが使用する場所に装着してある場合には、前記吐出手段１ｂと前記連結管１ｃ、または、前記吐出手段１ｂをレンタル商品１として貸出すことで、何も持ち歩く必要もないため、使用性も向上する。
【００７４】
次に、本体１ａ、または、本体１ａと連結管１ｃを使用可能な設備とし、前記設備の使用状況に基づき、設備使用費を算出して、前記設備使用費を得る酸素富化機のレンタル方法で、使用者が前記設備を使用した使用状況のその分だけ設備使用費を支払うことで、ライフサイクルコストを低減することができる。また、酸素富化空気を取り入れリラックスしたい時のみに、レンタル商品１として使用できることで、使用したい時のみに使用することが実現でき、ライフサイクルコストを低減することができる。また、重量や外観が比較的大きい本体１ａ、または、本体１ａと連結管１ｃを、家等に保管する手間や煩わしさも省るため、使用性も向上する。
【００７５】
次に、酸素富化機を使用者に販売し、販売後の酸素富化機を保管し、保管状況に基づき、保管費を算出して前記保管費を得る酸素富化機のレンタル方法で、重量や外観が比較的大きい本体１ａを、家等に保管する手間や煩わしさも省るため、使用性が向上する。なお、上記においては、本体１ａのみをレンタル商品とする場合も含む。
【００７６】
また、前記吐出手段１ｂと前記連結管１ｃ、または、前記吐出手段１ｂを使用者に販売し、販売後の前記吐出手段１ｂと前記連結管１ｃ、または、前記吐出手段１ｂを保管し、保管状況に基づき、保管費を算出して前記保管費を得る酸素富化機のレンタル方法で、使用者が主に口付近に設ける前記吐出手段１ｂは販売購入することで、衛生的であるとともに、比較的大きさの小さい前記吐出手段１ｂを家等に保管して紛失してしまう心配手間も省るため、使用性が向上する。
【００７７】
また、酸素富化機を使用する部屋、席、個室等の場所または空間を使用者に提供し、使用者が使用した場所または空間の使用状況に基づき、使用費を算出して、前記使用費を得る酸素富化機のレンタル方法で、使用者が酸素富化機を使用した使用状況のその分だけ使用費を支払うことで、ライフサイクルコストを低減することができる。また、酸素富化空気を取り入れリラックスしたい時のみに、レンタル品として使用できることで、使用したい時のみに使用することが実現でき、ライフサイクルコストを低減することができる。また、重量や外観が比較的大きい酸素富化機を、家等に保管する手間や煩わしさも省るため、使用性も向上する。
【００７８】
また、旅客機、客船、旅客列車、バス等の輸送媒体またはスポーツジム、サウナ等の公共施設にて、酸素富化機を設備またはレンタル品として用いることで、輸送媒体の中やスポーツ時等の、酸素富化空気を取り入れリラックスしたい時のみに、レンタル品として使用できることで、使用したい時のみに使用することが実現でき、ライフサイクルコストを低減することができる。
【００７９】
さらに、酸素富化機を複数台備えることで、複数の人々が酸素富化機を同時に使用することが可能となる。
【００８０】
なお、上記各本実施の形態においては、レンタル商品１として、吐出手段１ｂ、連結管１ｃ及び本体１ａから構成される酸素富化機について述べたが、酸素富化空気が吐出すれば、酸素富化機を本体１ａからのみから構成されていてもかまわない。
【産業上の利用可能性】
【００８１】
以上のように、本発明によれば、酸素富化機をレンタル商品とするレンタル管理システムは使用者のライフサイクルコストを低減する場合に有用である。
【図面の簡単な説明】
【００８２】
【図１】本発明の第１の実施の形態を示すブロック図
【図２】同酸素富化機の構成を示す概略構成図
【図３】本発明の第２の実施の形態を示すブロック図
【図４】図３の管理システムの制御例を示すフローチャート
【図５】本発明の第２の実施の形態を示すソフトウエアの選択表示画面図
【図６】本発明の第３の実施の形態を示すブロック図
【符号の説明】
【００８３】
１  レンタル商品
１ａ  本体
１ｂ  吐出手段
１ｃ  連結管(チューブ)
２  サーバ
３  コンピュータ読み取り可能な記録媒体
１３  検知手段
１４  記憶手段
１５  第１の表示手段
２３  算出手段
２５  データベース
【図１】
2005071006.tif 000003
【図２】
2005071006.tif 000004
【図３】
2005071006.tif 000005
【図４】
2005071006.tif 000006
【図５】
2005071006.tif 000007
【図６】
2005071006.tif 000008